(57)【要約】【課題】回転ドラム内の洗濯物や洗濯水が偏った状態で回転ドラムを回転させたことにより生じる振動を減衰させるドラム式洗濯機を提供することを目的とする。【解決手段】本発明のドラム式洗濯機は、本体１と、本体１に内包される水槽４と、水槽４に内包され斜め方向に回転軸６ａを有する回転ドラム６と、本体１と水槽４との間に略鉛直方向に設けられた第１のダンパー３とを備え、第１のダンパー３とは異なる方向に第２のダンパー１１が配設されたものである。【選択図】図１
2007020992.tif 000002
【特許請求の範囲】
【請求項１】
本体と、前記本体に揺動自在に内包された水槽と、前記水槽に回転自在に内包され回転軸が前面側から後面側へ傾斜して設けられた回転ドラムと、前記本体と水槽との間に略鉛直方向に設けられた第１のダンパーとを備え、前記本体と水槽との間には、前記第１のダンパーとは異なる方向に第２のダンパーが配設されたことを特徴とするドラム式洗濯機。
【請求項２】
第２のダンパーは、回転軸に対して略平行方向に配設されたことを特徴とする請求項１記載のドラム式洗濯機。
【請求項３】
第２のダンパーは、回転軸に対して略垂直方向に配設されたことを特徴とする請求項１記載のドラム式洗濯機。
【請求項４】
第２のダンパーは、回転軸に対して略平行方向および略垂直方向にそれぞれ配設されたことを特徴とする請求項１記載のドラム式洗濯機。
【請求項５】
第２のダンパーは両端に、互いに平行な位置にある略正方形の第１、第２の板と、前記第１の板および第２の板と垂直に位置する略長方形の第３の板とで形成される略コ字状の取付金具を有し、前記第２のダンパーの両端は、前記第１の板および前記第２の板と、第１の弾性部材を介して固定され、かつ、前記取付金具を介して本体に固定されることを特徴とする請求項１〜４のいずれか１項に記載のドラム式洗濯機。
【請求項６】
第２のダンパーの両端は、第１の貫通孔を有する略円筒状の取付リングを一体に形成し、前記第１の貫通孔は、第２の貫通孔を有する略円筒状の第２の弾性部材を内包し、前記第２の貫通孔は、第３の貫通孔を有する略円筒状の取付部を内包し、第１の板、第２の板、および第１の弾性部材は、前記第３の貫通孔と連通する、第４の貫通孔、第５の貫通孔および第６の貫通孔をそれぞれ有し、前記第２のダンパーと前記取付金具は、第３の貫通孔、第４の貫通孔、第５の貫通孔および第６の貫通孔が連通するように固定されることを特徴とする請求項５記載のドラム式洗濯機。
【請求項７】
第１のダンパー及び第２のダンパーは、オイルダンパーであることを特徴とする請求項１〜６のいずれか１項に記載のドラム式洗濯機。
【発明の詳細な説明】
【技術分野】
【０００１】
本発明は、斜め方向に回転中心軸を有する回転ドラム内で洗濯、すすぎ、脱水などの各行程を逐次制御するドラム式洗濯機に関するものである。
【背景技術】
【０００２】
従来、この種のドラム式洗濯機は図９及び図１０に示すような構成であった。以下、その構成について説明する。
【０００３】
図９は、従来のドラム式洗濯機の前後方向の断面図であり、図１０は従来のドラム式洗濯機の左右方向の断面図である。前面に洗濯物を出し入れするための開口部を有する本体１と、サスペンション２と、水槽の振動を減衰させる第１のダンパー３と、サスペンション２と第１のダンパー３とで支持され本体の開口部に対応する位置に開口部を有する水槽４と、水槽４の前面開口部を開閉するドア５と、水槽４内に回転自在に配設された回転ドラム６と、回転ドラム６を駆動する洗濯モータ７と、洗濯水を供給する洗濯用給水弁８と、洗濯水を排水する排水コック９と、水槽４の開口部と本体１の前面開口部との間を連結する略環状のパッキング部材１０とで構成している（例えば、特許文献１参照）。
【０００４】
このようなドラム式洗濯機における洗濯・脱水行程について説明する。ドア５が開けられ回転ドラム６内に洗濯物が投入されると、洗濯用給水弁８を開き水槽４内に所定の水位まで給水して洗濯行程を開始する。次に洗濯モータ７を駆動して回転ドラム６を回転させる。回転ドラム６の回転により洗濯物は持ち上げられては落下を繰り返し、水面に落下したときの衝撃力と洗剤とによって洗濯される。洗濯行程を終了すると排水コック９を開き洗濯水を排水する。排水が終わると洗濯モータ７を駆動して回転ドラム６を約９００ｒ／ｍｉｎで高速回転させ脱水を行う。
【特許文献１】特開２００５−１３７６４３号公報
【発明の開示】
【発明が解決しようとする課題】
【０００５】
しかしながら、上述した従来の構成では、脱水行程において、洗濯物や洗濯水が回転ドラム６の下方に偏った状態で高速回転を行うと、水槽４に大きな振動が生じ、特に図９に示す回転ドラム６の回転軸が斜め方向であるドラム式洗濯機では、洗濯物や洗濯水が下方に偏りやすいため、脱水行程において水槽４及び回転ドラム６の振動が大きくなりやすかった。
【０００６】
また、回転軸が水平である場合に比べて、本体に対して上下方向の振動だけでなく前後方向、左右方向の振動も生じやすく、この振動がパッキング部材１０を介して本体１に伝達されてしまうと騒音が発生したり、ドラム式洗濯機自体が振動で移動してしまっていた。
【０００７】
また、第１のダンパー３は本体１に対して上下方向である略鉛直方向の振動しか減衰させることができず、本体１に対して前後方向や左右方向の振動を減衰させることはできなかった。
【０００８】
さらに、第１のダンパー３は、図１０に示すように本体１に対して左右方向に二つ並べているが、前後方向に対しては図９に示すように同じ位置に配設しているため、水槽４は開口部を有する前部と洗濯モータ７が配設された後部とがそれぞれ上下逆方向に動く首振り運動が生じ、その振動が本体に伝わっていた。
【０００９】
本発明は、前記従来の課題を解決するもので、回転ドラム内の洗濯物や洗濯水が偏った状態で回転ドラムを回転させたことにより生じる振動を減衰させることで、低振動、低騒音のドラム式洗濯機を提供することを目的とする。
【課題を解決するための手段】
【００１０】
従来の課題を解決するために、本発明のドラム式洗濯機は、本体と、前記本体に揺動自在に内包された水槽と、前記水槽に回転自在に内包され回転軸が前面側から後面側へ傾斜して設けられた回転ドラムと、前記本体と水槽との間に略鉛直方向に設けられた第１のダンパーとを備え、前記本体と水槽との間には、前記第１のダンパーとは異なる方向に第２のダンパーが配設されたものである。
【００１１】
この構成により、脱水行程において生じる回転ドラムと水槽の振動であって鉛直方向以外の方向の振動を第２のダンパーにより減衰させることができる。
【発明の効果】
【００１２】
本発明のドラム式洗濯機は、回転ドラム内の洗濯物や洗濯水が偏った状態で回転ドラムを回転させたことにより生じる振動を減衰させることができるので、低振動、低騒音を実現することができる。
【発明を実施するための最良の形態】
【００１３】
第１の発明は、本体と、前記本体に揺動自在に内包された水槽と、前記水槽に回転自在に内包され回転軸が前面側から後面側へ傾斜して設けられた回転ドラムと、前記本体と水槽との間に略鉛直方向に設けられた第１のダンパーとを備え、前記本体と水槽との間には、前記第１のダンパーとは異なる方向に第２のダンパーが配設されたドラム式洗濯機である。
【００１４】
この構成により、脱水行程において生じる回転ドラムと水槽の振動であって鉛直方向以外の方向の振動を第２のダンパーにより減衰されることができるので、低振動、低騒音を実現することができる。
【００１５】
第２の発明は、前記第１の発明において第２のダンパーは、回転軸に対して略平行方向に配設されたことを特徴とするものである。
【００１６】
この構成により、脱水行程において回転ドラム及び水槽の振動であって回転軸に対して平行な方向の振動を第２のダンパーにより減衰させることができるので、低振動、低騒音を実現することができる。
【００１７】
第３の発明は、前記第１の発明において第２のダンパーは、回転軸に対して略垂直方向に配設されたことを特徴とするものである。
【００１８】
この構成により、脱水行程において回転ドラム及び水槽の振動であって回転軸に対して垂直な方向の振動を第２のダンパーにより減衰させることができるので、低振動、低騒音を実現することができる。
【００１９】
第４の発明は、前記第１の発明において、第２のダンパーは、回転軸に対して略平行方向および略垂直方向にそれぞれ配設されたことを特徴とするものである。
【００２０】
この構成により、脱水行程において回転ドラム及び水槽の振動であって回転軸に対して平行方向と垂直方向の振動を減衰させることができるので、低振動、低騒音を実現することができる。
【００２１】
第５の発明は、前記第１の発明から前記第４の発明において、第２のダンパーは両端に、互いに平行な位置にある略正方形の第１、第２の板と、前記第１の板および第２の板と垂直に位置する略長方形の第３の板とで形成される略コ字状の取付金具を有し、前記第２のダンパーの両端は、前記第１の板および前記第２の板と、第１の弾性部材を介して固定され、かつ、前記取付金具を介して本体に固定されることを特徴とするものである。
【００２２】
この構成により、本体に対して左右方向の振動が生じた場合に第１の弾性部材が振動を吸収し、本体の振動を減衰させることができるので、低振動、低騒音を実現することができる。
【００２３】
第６の発明は、前記第５の発明において、第２のダンパーの両端は、第１の貫通孔を有する略円筒状の取付リングを一体に形成し、前記第１の貫通孔は、第２の貫通孔を有する略円筒状の第２の弾性部材を内包し、前記第２の貫通孔は、第３の貫通孔を有する略円筒状の取付部を内包し、第１の板、第２の板、および第１の弾性部材は、前記第３の貫通孔と連通する、第４の貫通孔、第５の貫通孔および第６の貫通孔をそれぞれ有し、前記第２のダンパーと前記取付金具は、第３の貫通孔、第４の貫通孔、第５の貫通孔および第６の貫通孔が連通するように固定されることを特徴とするものである。
【００２４】
この構成により、本体に対して左右の方向の振動が生じた場合に、第１の弾性部材と第２の弾性部材とで振動を左右方向の振動を吸収し、本体の振動を減衰させることができるので、低振動、低騒音を実現することができる。
【００２５】
第７の発明は、前記第１の発明から前記第６の発明において、第１のダンパーまたは第２のダンパーは、オイルダンパーであることを特徴とするものである。
【００２６】
この構成により、ダンパー取付時はダンパーをゆっくり動かすため生じるダンパー力が弱いので取り付けやすく、脱水行程時は水槽の振動に対して大きなダンパー力が生じるため振動を抑えることができ、低振動、低騒音を実現することができる。
【００２７】
以下、本発明の実施の形態について、図面を参照しながら説明する。なお、本実施の形態によって本発明が限定されるものではない。
【００２８】
（実施の形態１）
図１は、本発明の第１の実施の形態におけるドラム式洗濯機の前後方向断面図である。
【００２９】
図１において、本体１の正面側には、洗濯物を出し入れするための開口部が設けられており、さらにその開口部を開閉自在に覆うドア５が設けられている。
【００３０】
第１のダンパー３はオイルダンパーであり、図２に示すようにシリンダー１３と、シリンダー１３の下端に伸縮自在に取り付けられたピストンロッド１４と、ピストンロッド１４の外周部に配置され水槽４を支持するコイルバネ１５と、シリンダー１３の上端に固定された支持軸１７とを備えている。ピストンロッド１４は、本体１の基底部に固定された支持台１８に緩衝材１６を介して固定されている。また支持軸１７は、水槽４の下方に固定された下部支持金具１９に緩衝材１６を介して固定されている。
【００３１】
水槽４は、本体１の開口部に対応する位置に洗濯物を出し入れするための開口部を有しており、回転ドラム６を内包している。この水槽４は、回転ドラム６を回転させるための洗濯モータ７等が後側に配設されているため、重心位置が後側に偏っており不安定な状態であるが、第１のダンパー３が有するコイルバネ１５が下方から支持し、サスペンション２が本体１から揺動可能に吊り下げているため、背面側に倒れるのを抑えている。
【００３２】
回転ドラム６は、水槽４の開口部に対応する位置に洗濯物を出し入れするための開口部を有し、外周部に多数の通水孔を全面に有している。また、回転運動の軸である回転軸６ａが本体１の前側から後側に向けて下向きに傾斜した状態で、水槽４内に回転自在に配設されている。
【００３３】
回転軸６ａには水槽４の後側に取り付けた洗濯モータ７が連結されており、洗濯モータ７は回転ドラム６を正転または逆転方向に回転駆動させるものである。
【００３４】
次に、第２のダンパー１１と第２のダンパー１２の構成、及び取付方について説明する。
【００３５】
図３は、第２のダンパー１１の正面図であり、図４は、第２のダンパー１１の側面図である。第２のダンパー１１は、第１のダンパー３と同じオイルダンパーであり、第１のダンパー３と同じシリンダー１３とピストンロッド１４を有している。さらに、第２のダンパー１１の両端には取付リング２０が一体に形成されている。
【００３６】
図４に示すように、取付リング２０は、底面２０ａ、上面２０ｂおよび貫通孔２０ｃを有する円筒状であり、貫通孔２０ｃの内壁に沿って、貫通孔２１ａを有する円筒状で取付リング２０の高さと略同一の弾性部材２１（ブチルゴム等）を設け、さらに貫通孔２１ａの内壁に沿って、貫通孔２２ａを有する円筒状の取付部２２を設けている。また、取付部２２の高さを、取付リング２０および弾性部材２１の高さより高くし、取付部２２が貫通孔２０ａおよび貫通孔２１ａから貫通して突出させている。
【００３７】
取付リング２０の底面２０ａおよび上面２０ｂに、貫通孔２３ａを有する略環状の弾性部材２３を、弾性部材２１から突出した取付部２２が貫通孔２３ａに内包されるように、それぞれ外方から設けている。この弾性部材２３の内径は、取付部２２の外径と略同一とし、外径は、取付リング２０の外径と略同一としている。
【００３８】
図５（ａ）は第２のダンパー１１を本体１に固定するための取付金具２４の斜視図、（ｂ）は取付リング２０に取付金具２４を取り付けた状態を表す構成図、（ｃ）は取付リング２０に取付金具２４を取り付けた状態の断面図である。図５（ａ）に示すように、取付金具２４は、略正方形の板２４ａと、板２４ａと同じ略正方形でかつ板２４ａに平行に配置した板２４ｂと、板２４ａと板２４ｂの両方に垂直な位置でこれらに一体に設けた略長方形の板２４ｃとで略コ字状に構成されている。また、板２４ａと板２４ｂには、第２のダンパー１１を取り付けるためのボルト２５ａを通す孔２４ｄと孔２４ｅとを設け、板２４ｃには、取付金具２４を本体１、下部支持金具１９及び支持台１８に固定するためのボルト２７を通す孔２４ｆを設けている。
【００３９】
この取付金具２４の板２４ａと板２４ｂの間に、板２４ａ、板２４ｂと弾性部材２３が平行に接し、孔２４ｄ、取付部２２の貫通孔２２ａおよび孔２４ｅがこの順序で連通するように第２のダンパー１１の取付リング２０を挿入する。次に板２４ａの外方からボルト２５ａを孔２４ｄに挿入し、続いて取付部２２の貫通孔２２ａおよび孔２４ｅに挿入し、板２４ｂの外方からナット２５ｂで固定する。
【００４０】
このようにして第２のダンパー１１の両端に固定された取付金具２４を、第２のダンパー１１が回転ドラム６の回転軸６ａと略平行になるように、一端に取り付けた取付金具２４を図１のように第１のダンパー３を固定している下部支持金具１９の裏側に、取付金具２４の孔２４ｆと下部支持金具１９に設けた孔（図示せず）とにボルト２７を挿入し、ナット２８で固定する。
【００４１】
次に、他端に取り付けた取付金具２４を、図６に示すように固定する。図６は、本実施の形態におけるドラム式洗濯機の左右方向の断面図である。図１および図６で示すように、本体１の両側面から延設し略直角に内側へ折り曲げた本体フランジ部１ａに、後方から補強板２６をボルト２６ａとナット２６ｂで固定し、補強板２６に設けた孔（図示せず）と取付金具２４の孔２４ｆにボルト２７とを挿入しナット２８で固定する。
【００４２】
次に、第２のダンパー１２について説明する。第２のダンパー１２は、第２のダンパー１１と同様の構成のオイルダンパーである。図７は、本実施の形態におけるドラム式洗濯機の左右方向の断面図であり。図１および図７に示すように第２のダンパー１２が回転ドラム６の回転軸６ａと略垂直になるように、第２のダンパー１２の一端に取り付けた取付金具２４を、第１のダンパー３を固定した下部支持金具１９の裏側に固定し、他端に取り付けた取付金具２４を、第１のダンパー３を固定した支持台１８の上面に固定している。固定の仕方は、第２のダンパー１１と同様であるため説明を省略する。
【００４３】
以上のように構成されたドラム式洗濯機について、その動作、作用を説明する。回転ドラム６内に洗濯物が投入され洗濯行程が開始されると、洗濯用給水弁８を開き水槽４内に所定の水位まで給水する。次に洗濯モータ７を駆動して回転ドラムを回転させると、洗濯物は持ち上げられては落下を繰り返し、洗剤水と水面に落下したときの衝撃力によって洗浄される。洗濯行程が終わると排水コック９が駆動し洗濯水を排水する。排水が終わると洗濯モータ７により、回転ドラム６を約９００ｒｐｍで高速回転させ脱水を行う。
【００４４】
この脱水行程において、洗濯水や洗濯物が偏りアンバランスな状態である場合、回転ドラム６が回転することにより水槽４及び回転ドラム６が大きく振動する。
【００４５】
この水槽４の振動のうち本体１に対して上下方向の振動は第１のダンパー３が減衰させ、回転軸６ａに対し平行な振動は第２のダンパー１１が減衰させ、回転軸６ａに対し垂直な振動は第２のダンパー１２が減衰させる。
【００４６】
これにより、水槽４及び回転ドラム６の振動を減衰させることができ、本体１に伝わる振動も減らすことができる。
【００４７】
また、図１に示すように本体１に対して前後方向にずらして第１のダンパー３、第２のダンパー１１、第２のダンパー１２をそれぞれ設けたので、水槽４及び回転ドラム６の首振り運動を低減することができる。
【００４８】
また、取付金具２４に対し第２のダンパー１１が回転自在の状態で支持されているため、第２のダンパー１１に過大な応力が生じず、耐久性能も向上させることができる。
【００４９】
また、本実施の形態では本体１に対して左右方向の振動を減衰させるような向きにダンパーを設けていないが、第２のダンパー１１と第２のダンパー１２に設けた円筒状の弾性部材２１と略環状の弾性部材２３により左右方向の振動を低減させることができる。
【００５０】
図８は、本発明の第１の実施の形態における第２のダンパー１１の断面図である。水槽４及び回転ドラム６が図８の矢印Ａが示す方向に振動すると、弾性部材２１及び弾性部材２３が図８に示すように変形することによって振動を吸収するため、取付金具２４には振動が伝わらない。
【００５１】
さらに、本実施の形態において、第１のダンパー３、第２のダンパー１１および第２のダンパー１２としてオイルダンパーを用いたが、オイルダンパーは速度依存性があるため、ダンパーを取り付ける際には作業者がダンパーのピストンロッド１４を伸ばしたり縮めたりするためピストンロッド１４の伸縮速度が遅く、生じるダンパー力が小さいので作業しやすい。逆に、脱水行程時にはピストンロッド１４の伸縮速度が速くなるため大きいダンパー力が生じ、振動を減衰させることができる。
【００５２】
なお、本実施の形態では第２のダンパー１１と第２のダンパー１２の両方を配設したが、どちらか一方のみを配設しても、その配設したダンパーの向きに応じた方向の振動に対して、本実施の形態と同様の効果を奏することができる。
【００５３】
また、第２のダンパー１１と第２のダンパー１２をそれぞれ一本ずつ設けたが、それぞれ複数設けることによりさらに水槽４と回転ドラム６の振動を減衰させることができる。
【００５４】
また、第２のダンパー１１と第２のダンパー１２を、第１のダンパー３を配設した下部支持金具１９に配設したが、それぞれ異なる支持金具を水槽４に新たに設け、その支持金具にそれぞれ配設してもよい。異なる支持金具を設けることにより、ダンパーを前後方向へ互いにより離して設けることができ、それにより水槽４の首振り運動を低減することができる。
【００５５】
また、第２のダンパー１１と第２のダンパー１２を回転軸６ａに対してそれぞれ平行方向と垂直方向になるよう配設したが、配設する傾きは平行方向と垂直方向に限らない。それぞれのダンパーを互いに異なる方向に配設することが望ましく、互いに異なる方向に配設することにより、配設したダンパー全体で様々な方向の振動を減衰させることができる。
【００５６】
例えば、第１のダンパー３と垂直になるよう第２のダンパー１１を配設し、第２のダンパー１２を第１のダンパー３と第２のダンパー１１の両方に対して垂直になるよう配設することで、本体１に対して上下方向、左右方向、前後方向の全方向の振動を減衰させることができる。
【００５７】
さらに、本実施の形態では、第１のダンパー３、第２のダンパー１１、第２のダンパー１２としてオイルダンパーを用いたが、振動を減衰させるものであればどのような構成のダンパーでもよく、例えば摩擦ダンパーを用いてもよい。
【産業上の利用可能性】
【００５８】
以上のように、本発明にかかるドラム式洗濯機は、回転ドラム内の洗濯物や洗濯水が偏った状態で回転ドラムを回転させたことにより生じる振動を減衰させることができるので、水平方向または傾斜方向に回転軸を有する回転ドラム内で、洗濯、すすぎ、脱水する洗濯機等として有用である。
【図面の簡単な説明】
【００５９】
【図１】本発明の実施の形態１におけるドラム式洗濯機の前後方向断面図
【図２】同第１のダンパー３の構成図
【図３】同第２のダンパー１１の構成図
【図４】同第２のダンパー１１の構成図
【図５】（ａ）取付金具２４の斜視図（ｂ）同第２のダンパー１１と取付金具２４の正面図（ｃ）同第２のダンパー１１と取付金具２４の断面図
【図６】同第２のダンパー１１の取付位置を説明する構成図
【図７】同第２のダンパー１２の取付位置を説明する構成図
【図８】同第２のダンパー１１の左右方向の振動の減衰を説明する構成図
【図９】従来のドラム式洗濯機の前後方向断面図
【図１０】同左右方向断面図
【符号の説明】
【００６０】
１  本体
３  第１のダンパー
４  水槽
６  回転ドラム
６ａ  回転軸
１１  第２のダンパー
１２  第２のダンパー
【図１】
2007020992.tif 000003
【図２】
2007020992.tif 000004
【図３】
2007020992.tif 000005
【図４】
2007020992.tif 000006
【図５】
2007020992.tif 000007
【図６】
2007020992.tif 000008
【図７】
2007020992.tif 000009
【図８】
2007020992.tif 000010
【図９】
2007020992.tif 000011
【図１０】
2007020992.tif 000012